(57)【要約】【課題】機機器の状態に応じて、タッチパネルにかかる圧力に基づいて出力される出力結果を変更させ、円滑なタッチ操作性を実現することができる情報処理装置、情報処理方法、およびプログラムを提供することである。【解決手段】本発明に係る情報処理装置は、ディスプレイと、ディスプレイに積層したタッチパネルと、自装置が安定な状態に置かれている状態か否かの指標となる値を検出するセンサと、センサの出力に基づいて、自装置が安定な状態を保持している第１の状態と、自装置が安定な状態を保持しない第２の状態と、を区分けする区分手段と、タッチパネルにかかる所定の圧力に基づいて出力される出力値を、第１の状態と、第２の状態とで異ならせるよう制御する制御手段と、を備える、ことを特徴とする。【選択図】図２
2017117415.tif 000002
【特許請求の範囲】
【請求項１】
ディスプレイと、
前記ディスプレイに積層したタッチパネルと、
自装置が安定な状態に置かれている状態か否かの指標となる値を検出するセンサと、
前記センサの出力に基づいて、自装置が安定な状態を保持している第１の状態と、自装置が安定な状態を保持しない第２の状態と、を区分けする区分手段と、
前記タッチパネルにかかる所定の圧力に基づいて出力される出力値を、前記第１の状態と、前記第２の状態とで異ならせるよう制御する制御手段と、
を備える、
ことを特徴とする情報処理装置。
【請求項２】
前記センサは加速度センサであり、
前記区分手段は、前記加速度センサからの該情報処理装置と水平線とが成す傾き角の出力に基づいて、前記第１の状態と、前記第２の状態と、を区分けする、
ことを特徴とする請求項１に記載の情報処理装置。
【請求項３】
前記区分手段は、前記加速度センサからの該情報処理装置の振動の程度の出力に基づいて、前記第１の状態と、前記第２の状態と、を区分けする、
ことを特徴とする請求項２に記載の情報処理装置。
【請求項４】
前記区分手段は、前記加速度センサからの出力に基づいて、該情報処理装置が有振動状態であると判断したとき、該情報処理装置の状態を、前記第２の状態に区分けする、
ことを特徴とする請求項３に記載の情報処理装置。
【請求項５】
前記制御手段は、前記第１の状態で前記タッチパネルにかけた前記圧力に基づいて出力される出力値よりも、前記第２の状態で前記タッチパネルにかけた前記圧力に基づいて出力される出力値を大きくするように制御する、
ことを特徴とする請求項１から４のいずれか１項に記載の情報処理装置。
【請求項６】
自装置が安定な状態に置かれている状態か否かの指標となる値を検出するステップと、
センサの出力に基づいて、自装置が安定な状態を保持している第１の状態と、自装置が安定な状態を保持しない第２の状態と、を区分けするステップと、
タッチパネルにかかる所定の圧力に基づいて出力される出力値を、前記第１の状態と、前記第２の状態とで異ならせるよう制御するステップと、
を有する、
ことを特徴とする情報処理方法。
【請求項７】
自装置が安定な状態に置かれている状態か否かの指標となる値を検出する工程と、
センサの出力に基づいて、自装置が安定な状態を保持している第１の状態と、自装置が安定な状態を保持しない第２の状態と、を区分けする工程と、
タッチパネルにかかる所定の圧力に基づいて出力される出力値を、前記第１の状態と、前記第２の状態とで異ならせるよう制御する工程と、
をコンピュータに実行させるためのプログラム。
【発明の詳細な説明】
【技術分野】
【０００１】
本発明は、情報処理装置、情報処理方法、およびプログラムに関する。
【背景技術】
【０００２】
ユーザが指やペンで表示画面上に直接情報を入力することができる機器として、タブレット端末などがある。このタブレット端末は、ディスプレイ部にタッチパネルというデバイスを搭載していることで、指やペンによる情報の入力を可能とさせている。タッチパネルとは、ディスプレイ部に位置検出用のセンサなどを統合することで、タッチパネルに接触した指やペンの位置を感知し、タブレット端末に指示を与えることができるものである。近年、表示と入力の２つの機能を融合したタッチパネルを備えたタブレット端末の急速な普及が進んでいる。
【０００３】
タブレット端末のディスプレイ部に備えるタッチパネルには様々な方式のものがある。指やペンなどで押した画面の位置を電圧変化の測定によって検知する抵抗膜方式や、画面に指で触れると発生する微弱な電流、つまり静電容量（電荷）の変化をセンサで感知し、タッチした位置を把握する静電容量方式などが主な方式である。近年では、特許文献１のようにタブレット端末に振動アクチュエータを備え、ユーザがタッチパネルにタッチすることで振動（ハプティック）を与えるという技術も公開されており、タッチパネルに様々な機能を有したタブレット端末の開発が進んでいる。
【０００４】
タブレット端末は、ノートブック型パーソナルコンピュータと比較しても軽量かつコンパクトであるため、屋外などでも気軽に使用することができる。そのような状況の中、どのような場所でも一定の操作性を実現できるタブレット端末のニーズが高まっている。タブレット端末は、指やペンなどで画面に力を加えることでセンサが力を加えられた位置を検出し、所定の処理を行うものである。例えば、電車の中などでは、ユーザが膝の上など不安定な場所で指やペンで画面に力を加えることになる。そのような不安定な状況では、ユーザが指やペンで力を加える際にタブレット端末が動いてしまったりするため、大変操作しづらい。
【０００５】
そのような状況を踏まえて、ユーザが、タブレット端末の画面にかかる圧力に基づいて出力される出力値を状況に応じて変更できる技術が公開されている。つまり、ユーザの膝の上などの不安定な状況で画面にかける圧力と、載置などの安定な状況で画面にかける圧力とでは、同等の圧力でも異なる出力値となるため、状況に応じた操作性の向上が期待できる。
【０００６】
しかし、これまでのタブレット端末の画面にかかる圧力に基づいた出力値の変更は、ユーザ自身が画面上で変更の手続きを取らなければならなかった。安定な状況、不安定な状況をユーザ自身が判断し、変更の手続きを行うため、ユーザの負担が大きいという課題がある。
【先行技術文献】
【特許文献】
【０００７】
【特許文献１】特開２０１４−２０３４５７号公報
【発明の概要】
【発明が解決しようとする課題】
【０００８】
そこで、本発明は、上記課題に鑑みてなされたもので、その目的とするところは、
機器の状態に応じて、タッチパネルにかかる圧力に基づいて出力される出力結果を変更させ、円滑なタッチ操作性を実現することができる情報処理装置、情報処理方法、およびプログラムを提供することである。
【課題を解決するための手段】
【０００９】
本発明に係る情報処理装置は、ディスプレイと、ディスプレイに積層したタッチパネルと、自装置が安定な状態に置かれている状態か否かの指標となる値を検出するセンサと、センサの出力に基づいて、自装置が安定な状態を保持している第１の状態と、自装置が安定な状態を保持しない第２の状態と、を区分けする区分手段と、タッチパネルにかかる所定の圧力に基づいて出力される出力値を、第１の状態と、第２の状態とで異ならせるよう制御する制御手段と、を備える、ことを特徴とする。
【００１０】
本発明に係る情報処理方法は、自装置が安定な状態に置かれている状態か否かの指標となる値を検出するステップと、センサの出力に基づいて、自装置が安定な状態を保持している第１の状態と、自装置が安定な状態を保持しない第２の状態と、を区分けするステップと、タッチパネルにかかる所定の圧力に基づいて出力される出力値を、第１の状態と、第２の状態とで異ならせるよう制御するステップと、を有する、ことを特徴とする。
【００１１】
本発明に係るプログラムは、自装置が安定な状態に置かれている状態か否かの指標となる値を検出する工程と、センサの出力に基づいて、自装置が安定な状態を保持している第１の状態と、自装置が安定な状態を保持しない第２の状態と、を区分けする工程と、タッチパネルにかかる所定の圧力に基づいて出力される出力値を、第１の状態と、第２の状態とで異ならせるよう制御する工程と、を有する、ことを特徴とする。
【発明の効果】
【００１２】
本発明によれば、機器の状態に応じて、タッチパネルにかかる圧力に基づいて出力される出力結果を変更させ、円滑なタッチ操作性を実現することができる情報処理装置を提供することができる。
【図面の簡単な説明】
【００１３】
【図１】本発明の実施形態にかかる情報処理装置の構成図である。
【図２】本発明の実施形態にかかる情報処理装置の機能ブロック図である。
【図３】本発明の実施形態にかかる圧力レンジパターンを示した図である。
【図４】本発明の実施形態にかかる情報処理装置の状態と圧力レンジパターンの関係をテーブルにした図である。
【図５】本発明の実施形態にかかるフローチャートである。
【発明を実施するための形態】
【００１４】
以下、本発明の実施の形態について詳細に説明する。
【００１５】
まず、本実施形態の情報処理装置１の構成について図１を用いて説明する。尚、情報処理装置１の構成は、図１に示したものと必ずしも同じ構成である必要はなく、本実施形態を実現できるハードウェア、機能を備えていればそれで十分である。
【００１６】
情報処理装置１は、所定のプログラムを実行することにより、情報処理装置１の全体の制御を実現するための制御部１００と、液晶、および有機ＥＬなどのパネルを用いたディスプレイを備えた表示部１１０と、情報処理装置１の状態を検出するセンサ部１３０と、ネットワーク及び外部機器との接続を可能とする通信Ｉ／Ｆ１５０と、情報処理装置１が読出すプログラムや、各種データを不揮発に記憶する記憶部１６０電源のＯＮ／ＯＦＦや各種設定に必要なハードウェアによる入力キーから構成される入力部１７０と、データなどを一時的に保存する保存部１８０と、を備えている。
【００１７】
情報処理装置１の制御部１００は、所定のプログラムを実行することにより、情報処理装置１の全体の制御を実現する。情報処理装置１を構成する種々の機能と連動し、所定のプログラムに基づいて処理を実行する。制御部１００は、種々のプログラムを読み出す読み出し専用メモリであるＲＯＭと、ＣＰＵで構成することが可能である。
【００１８】
情報処理装置１の表示部１１０は、制御部１００から供給される画像情報や映像信号にしたがって画像を表示する。尚、本実施例で用いる情報処理装置は、表示部のディスプレイ部に、表示された画像に基づいて、文字、数字、記号等の情報を入力するためのタッチパネル１２０を備えている。
【００１９】
図示していないが、タッチパネル１２０には、位置検出用のセンサが結合されている。この位置検出用のセンサを用いることで、画面に接触した指やペンの位置を感知し、コンピュータに指示を与えることができる。尚、タッチ操作の検出方式には、指やペンなどで押した画面の位置を電圧変化の測定によって検知する抵抗膜方式や、画面に指で触れると発生する微弱な電流、つまり静電容量（電荷）の変化をセンサで感知する静電容量方式があるが、これらの検出方式を採用したタッチパネルでもよいし、その他の検出方式でもよい。
【００２０】
情報処理装置１のセンサ部１３０は、情報処理装置１の状態を判断する指標となる値を検出するセンサにより構成されている。ここでの状態とは、情報処理装置１が置かれている状態のことである。状態を判断する指標は様々なものが想定されるが、本実施例では加速度センサ１４０を用いて、情報処理装置１が水平線に対して傾いている傾き角、および情報処理装置１の振動の程度を検出し、その情報に基づいて制御部１００が情報処理装置１の状態を判断する。
【００２１】
情報処理装置１の状態を検出するためには、加速度センサ以外のセンサを用いても検出することができる。例えば、加速度センサの代わりに、或は加速度センサと併せて、ジャイロセンサを用いることもできる。或は、圧力センサを用いて、情報処理装置１と直接接触する部材との接触面にかかる圧力を測定する方法がある。かかる圧力に閾値を設けて所定の圧力以上の圧力が接触面にかかっていれば安定な状態であると判断する。また、光センサを用いて、情報処理装置１と直接接触する部材とがどの程度接触しているかを光量で検知して、その検知結果から安定な状態か不安定な状態かを判断する。本実施形態では加速度センサを用いているが、圧力センサ、光センサ、またはその他のセンサを用いて情報処理装置１の状態を検出するような構成も可能である。
【００２２】
情報処理装置１の通信Ｉ／Ｆ１５０は、外部の機器やコンピュータ等の電子機器との間で各種情報をネットワークを介して入出力するためのインターフェースである。通信Ｉ／Ｆ１５０は、例えばＵＳＢポートやＬＡＮポート、無線ＬＡＮポートなどがあり、外部の機器とデータの送受信が行えればどのようなものでも構わない。
【００２３】
情報処理装置１の記憶部１６０は、情報処理装置１が読出すプログラムや、各種データを不揮発に記憶する。記憶部１６０は、例えば制御部１００が作業用メモリとして使用するＲＡＭや、電源が切断されたときに種々のデータの記録を保持することが可能なＨＤＤで構成することができる。
【００２４】
情報処理装置１の入力部１７０は、電源のＯＮ／ＯＦＦや各種設定に必要なハードウェアによる入力キーにより構成されている。
【００２５】
情報処理装置１の保存部１８０は、制御部１００が所定のプログラムに基づいて行った処理のデータ、または、本実施形態では、情報処理装置１の状態と圧力レンジパターンの関係性を予めテーブル情報として備えているが、そのテーブル情報を保存しておいてもよい。テーブル情報については後述で説明する。保存されているデータは制御部１００が所定のプログラムに基づいて読み出される。尚、本実施形態で用いるテーブル情報など、予め備えている情報は、保存部１８０でなく、記憶部１６０に記憶させることも可能である。保存部１８０は、制御部１００が作業用メモリとして使用するＲＡＭなどで構成することができる。
【００２６】
次に、本発明を実施するための形態について図面を参照して説明する。図２は本実施形態の情報処理装置の機能ブロックを示すものである。本実施形態にかかる情報処理装置１は、センサ１０と、区分手段１１と、制御手段１２と、を備えている。
【００２７】
情報処理装置１のセンサ１０は、情報処理装置１の状態を検出する。本実施形態では加速度センサを用いて、情報処理装置１の水平線に対して傾いている傾き角、および情報処理装置１がどのくらい振動しているかを検出する。
【００２８】
情報処理装置１のセンサ１０はセンサ部１３０により実現が可能である。
【００２９】
情報処理装置１の区分手段１１は、センサの出力に基づいて、該情報処理装置が水平線に対して平行な状態を保持している第１の状態と、該情報処理装置が水平線に対して平行な状態を保持しない第２の状態と、に区分けする。第１の状態は、例えば机などに載置された状態などであり、水平線に対して平行な状態を保持している。つまり、第１の状態は、タッチパネルに外部から圧力がかかっても、動いたり振動したりしない安定な状態であるといえる。
【００３０】
第２の状態は、例えば情報処理装置１の一部分が支持部材などで水平線に対して傾斜して支持されている状態がある。また、第２の状態には、人が手で保持している状態なども考え得る。また、人が保持している状態であれば、場合によっては水平線に対して平行な状態とも成りうるが、微弱にも振動している状態であるため、第１の状態には該当しない。センサから出力される情報処理装置１の水平線に対する傾き角、および情報処理装置に生じる振動の有無により、第１の状態、および第２の状態に区分けがされる。
【００３１】
情報処理装置１の区分手段１１は、制御部１００、センサ部１３０により実現が可能である。
【００３２】
情報処理装置１の制御手段１２は、タッチパネルにかかる圧力と出力値の関係性に関して図３を用いて説明する。
【００３３】
図３は、本発明の実施形態にかかる、タッチパネルにかかる圧力と出力値の関係を示した図である。ここでの出力値は、タッチパネルにかかる圧力に基づいて出力される信号の強度である。本実施形態では出力値が１２８段階であるものとし、複数の圧力レンジパターンを備えているものとする。尚、出力値は１２８段階だけでなく、２５６段階やその他の出力値段階でも適用することができる。出力値の圧力レンジパターンＡでは、出力値の最大である１２８段階の出力値を得るために必要な圧力は１（pa）であるにあるのに対し、出力値の圧力レンジパターンＢでは出力値の最大である１２８段階の出力値を得るために必要な圧力は必要な圧力は０．６（pa）である。
【００３４】
出力値の圧力レンジパターンＡに対して、出力値の圧力レンジパターンＢは、少ない圧力で大きい出力値を得ることができる。本実施形態では、出力値の圧力レンジパターンＡを第１の状態、出力値の圧力レンジパターンＢを第２の状態に適用する。これは、第２の状態が第１の状態に対して不安定な状態であるといえるため、より少ない圧力で大きい出力値を出力する必要がある。ここでの不安定な状態とは、タッチパネルに圧力を加えた際に、情報処理装置１が動いたり、情報処理装置１が振動しているため圧力をかけづらいなどの状態である。
【００３５】
次に、本発明の実施形態にかかる情報処理装置の状態と出力値の圧力レンジの関係を説明する。図４は本発明の実施形態にかかる情報処理装置の状態と出力値の圧力レンジの関係を説明する図である。
【００３６】
図４のテーブルは、区分手段１１により区分された状態パターン（第１の状態、第２の状態）での加速度センサによる検出結果（振動の有無、情報処理装置と水平線との成す角度）と、出力値の圧力レンジパターンを対応させたものである。状態例においては、加速センサから検出された出力結果に基づいて、考えうるシチュエーションを記載したものであるため、この限りではない。尚、このテーブルは記憶部１６０、または保存部１８０に記憶しておき、加速度センサからの出力を受けて制御部１００が読み出して参照する。
【００３７】
加速度センサからの出力結果で「振動無し」、「水平線との成す角θ＝０°」であれば第１の状態であると判断される。また、その際の出力値の圧力レンジパターンはＡと設定される。また、加速度センサからの出力結果で「振動無し」、「水平線との成す角θ≠０°」、または加速度センサからの出力結果で「振動有り」であれば第２の状態であると判断される。尚、「振動有り」の状態では「水平線との成す角θ」はどの値であっても第２の状態であると判断することにする。
【００３８】
第２の状態であると判断された際には、出力値の圧力レンジパターンはＢと設定される。
【００３９】
情報処理装置１の制御手段１２は、制御部１００、センサ部１３０、記憶部１６０、保存部１８０により実現が可能である。
【００４０】
次に、本発明の実施形態にかかるフローチャートを説明する。図５は本実施形態の発明の実施形態にかかるフローチャートである。
【００４１】
まず、現在の情報処理装置１の状態が第１の状態であるとする（ステップ１）。次に加速度センサより傾き角、および振動状態を出力する（ステップ２）。加速度センサからの出力により、判断テーブルを読み出し、現在の情報処理装置１の状態を判断する（ステップ３）。情報処理装置１の状態を確認し、状態が第１の状態から変更があった場合（ステップ４）、判断テーブルに基づいて出力値の圧力レンジを変更する（ステップ５）。
【００４２】
尚、ステップ４にて、情報処理装置１の状態が第１の状態から変更がなかった場合は、状態の変更無しと判断して、出力値の圧力レンジパターンの変更は行わない（ステップ６）。
【００４３】
以上、本実施を好適な形態で行う実施例を説明した。ここでは特定の具体例を示して説明を行ったが、特許請求の範囲の趣旨及び範囲から逸脱しない範囲で、本具体例の様々な修正、および形態変更などが可能である。
【００４４】
実施形態の変更の１例としては、センサ部１３０を構成する状態を検出するセンサを加速度センサではなく、圧力センサ、静電センサ、光センサを用いる構成が可能である。また、センサは１種類だけでなく、複数のセンサを組み合わせて様々の状態を規定し、それの状態ごとに出力値の圧力レンジを変更できるようにすれば、更なる使用性の向上が期待できる。
【００４５】
様々な状態検出用のセンサを用いることで、安定な状態Ａ、および安定な状態ではない状態Ｂのバリエーションを広げることが可能となる。例えば、圧力センサ等で情報処理装置１と接触している接触面とにかかる圧力を検出することで安定な状態か否かを判定することが可能となり、本実施例で説明したような情報処理装置１が水平であるような場合に限定されない安定な状態を定義することが可能となる。情報処理装置１の水平方向に対する傾き状態、および振動状態以外の他の要素を状態の安定、および不安定に加えて定義することが可能となる。
【００４６】
本発明により、機器の状態に応じて、機器の状態に応じて、タッチパネルにかかる圧力に基づいて出力される出力結果を変更させ、円滑なタッチ操作性を実現することができる情報処理装置を提供することができる。
【符号の説明】
【００４７】
１０    センサ
１１    区分手段
１２    制御手段
【図１】
2017117415.tif 000003
【図２】
2017117415.tif 000004
【図３】
2017117415.tif 000005
【図４】
2017117415.tif 000006
【図５】
2017117415.tif 000007
【手続補正書】
【提出日】平成28年9月21日(2016.9.21)
【手続補正１】
【補正対象書類名】明細書
【補正対象項目名】０００９
【補正方法】変更
【補正の内容】
【０００９】
本発明に係る情報処理装置は、ディスプレイと、ディスプレイに積層したタッチパネルと、加速度センサと、加速度センサの出力に基づいて、自装置が安定な状態を保持している第１の状態と、自装置が安定な状態を保持しない第２の状態と、を区分けする区分手段と、タッチパネルにかかる所定の圧力に基づいて出力される出力値を、第１の状態と、第２の状態とで異ならせるよう制御する制御手段と、を備え、制御手段は、第１の状態でタッチパネルにかけた圧力に基づいて出力される出力値よりも、第２の状態でタッチパネルにかけた圧力に基づいて出力される出力値を大きくするように制御する、ことを特徴とする。
【手続補正２】
【補正対象書類名】明細書
【補正対象項目名】００１０
【補正方法】変更
【補正の内容】
【００１０】
本発明に係る情報処理方法は、加速度センサの出力に基づいて、自装置が安定な状態を保持している第１の状態と、自装置が安定な状態を保持しない第２の状態と、を区分けするステップと、タッチパネルにかかる所定の圧力に基づいて出力される出力値を、第１の状態と、第２の状態とで異ならせるよう制御するステップと、を有し、制御するステップは、第１の状態でタッチパネルにかけた圧力に基づいて出力される出力値よりも、第２の状態でタッチパネルにかけた圧力に基づいて出力される出力値を大きくする、ことを特徴とする。
【手続補正３】
【補正対象書類名】明細書
【補正対象項目名】００１１
【補正方法】変更
【補正の内容】
【００１１】
本発明に係るプログラムは、加速度センサの出力に基づいて、自装置が安定な状態を保持している第１の状態と、自装置が安定な状態を保持しない第２の状態と、を区分けする工程と、タッチパネルにかかる所定の圧力に基づいて出力される出力値を、第１の状態と、第２の状態とで異ならせるよう制御する工程と、を有し、制御する工程は、第１の状態でタッチパネルにかけた圧力に基づいて出力される出力値よりも、第２の状態でタッチパネルにかけた圧力に基づいて出力される出力値を大きくする、ことを特徴とする。
【手続補正４】
【補正対象書類名】特許請求の範囲
【補正対象項目名】全文
【補正方法】変更
【補正の内容】
【特許請求の範囲】
【請求項１】
ディスプレイと、
前記ディスプレイに積層したタッチパネルと、
加速度センサと、
前記加速度センサの出力に基づいて、自装置が安定な状態を保持している第１の状態と、自装置が安定な状態を保持しない第２の状態と、を区分けする区分手段と、
前記タッチパネルにかかる所定の圧力に基づいて出力される出力値を、前記第１の状態と、前記第２の状態とで異ならせるよう制御する制御手段と、
を備え、
前記制御手段は、前記第１の状態で前記タッチパネルにかけた前記圧力に基づいて出力される出力値よりも、前記第２の状態で前記タッチパネルにかけた前記圧力に基づいて出力される出力値を大きくするように制御する、
ことを特徴とする情報処理装置。
【請求項２】
前記区分手段は、前記情報処理装置と水平線とが成す傾き角に応じて、前記第１の状態と、前記第２の状態と、を区分けする、
ことを特徴とする請求項１に記載の情報処理装置。
【請求項３】
前記区分手段は、前記情報処理装置の振動の程度に応じて、前記第１の状態と、前記第２の状態と、を区分けする、
ことを特徴とする請求項２に記載の情報処理装置。
【請求項４】
前記区分手段は、前記情報処理装置が有振動状態であると判断したとき、該情報処理装置の状態を、前記第２の状態に区分けする、
ことを特徴とする請求項３に記載の情報処理装置。
【請求項５】
加速度センサの出力に基づいて、自装置が安定な状態を保持している第１の状態と、自装置が安定な状態を保持しない第２の状態と、を区分けするステップと、
タッチパネルにかかる所定の圧力に基づいて出力される出力値を、前記第１の状態と、前記第２の状態とで異ならせるよう制御するステップと、
を有し、
前記制御するステップは、前記第１の状態で前記タッチパネルにかけた前記圧力に基づいて出力される出力値よりも、前記第２の状態で前記タッチパネルにかけた前記圧力に基づいて出力される出力値を大きくする、
ことを特徴とする情報処理方法。
【請求項６】
加速度センサの出力に基づいて、自装置が安定な状態を保持している第１の状態と、自装置が安定な状態を保持しない第２の状態と、を区分けする工程と、
タッチパネルにかかる所定の圧力に基づいて出力される出力値を、前記第１の状態と、前記第２の状態とで異ならせるよう制御する工程と、
をコンピュータに実行させ、
前記制御する工程は、前記第１の状態で前記タッチパネルにかけた前記圧力に基づいて出力される出力値よりも、前記第２の状態で前記タッチパネルにかけた前記圧力に基づいて出力される出力値を大きくする、
ことを特徴とするプログラム。
【手続補正書】
【提出日】平成28年12月5日(2016.12.5)
【手続補正１】
【補正対象書類名】明細書
【補正対象項目名】０００９
【補正方法】変更
【補正の内容】
【０００９】
本発明に係る情報処理装置は、ディスプレイと、ディスプレイに積層したタッチパネルと、加速度センサと、加速度センサの出力に基づいて、自装置が安定な状態を保持している第１の状態と、自装置が安定な状態を保持しない第２の状態と、を区分けする区分手段と、タッチパネルにかかる所定の圧力に基づいて出力される出力値を、第１の状態と、第２の状態とで異ならせるよう制御する制御手段と、を備え、制御手段は、第１の状態でタッチパネルにかけた圧力に基づいて出力される出力値よりも、第２の状態でタッチパネルにかけた圧力に基づいて出力される出力値を大きくするように制御し、区分手段は、自装置が有振動状態であると判断したとき、自装置の状態を、第２の状態に区分けする、ことを特徴とする。
【手続補正２】
【補正対象書類名】明細書
【補正対象項目名】００１０
【補正方法】変更
【補正の内容】
【００１０】
本発明に係る情報処理方法は、加速度センサの出力に基づいて、自装置が安定な状態を保持している第１の状態と、自装置が安定な状態を保持しない第２の状態と、を区分けするステップと、タッチパネルにかかる所定の圧力に基づいて出力される出力値を、第１の状態と、第２の状態とで異ならせるよう制御するステップと、を有し、制御するステップは、第１の状態でタッチパネルにかけた圧力に基づいて出力される出力値よりも、第２の状態でタッチパネルにかけた圧力に基づいて出力される出力値を大きくし、区分するステップは、自装置が有振動状態であると判断したとき、自装置の状態を、第２の状態に区分けする、
ことを特徴とする。
【手続補正３】
【補正対象書類名】明細書
【補正対象項目名】００１１
【補正方法】変更
【補正の内容】
【００１１】
本発明に係るプログラムは、加速度センサの出力に基づいて、自装置が安定な状態を保持している第１の状態と、自装置が安定な状態を保持しない第２の状態と、を区分けする工程と、タッチパネルにかかる所定の圧力に基づいて出力される出力値を、第１の状態と、第２の状態とで異ならせるよう制御する工程と、を有し、制御する工程は、第１の状態でタッチパネルにかけた圧力に基づいて出力される出力値よりも、第２の状態でタッチパネルにかけた圧力に基づいて出力される出力値を大きくし、区分する工程は、自装置が有振動状態であると判断したとき、自装置の状態を、第２の状態に区分けする、ことを特徴とする。
【手続補正４】
【補正対象書類名】特許請求の範囲
【補正対象項目名】全文
【補正方法】変更
【補正の内容】
【特許請求の範囲】
【請求項１】
ディスプレイと、
前記ディスプレイに積層したタッチパネルと、
加速度センサと、
前記加速度センサの出力に基づいて、自装置が安定な状態を保持している第１の状態と、自装置が安定な状態を保持しない第２の状態と、を区分けする区分手段と、
前記タッチパネルにかかる所定の圧力に基づいて出力される出力値を、前記第１の状態と、前記第２の状態とで異ならせるよう制御する制御手段と、
を備え、
前記制御手段は、前記第１の状態で前記タッチパネルにかけた前記圧力に基づいて出力される出力値よりも、前記第２の状態で前記タッチパネルにかけた前記圧力に基づいて出力される出力値を大きくするように制御し、
前記区分手段は、自装置が有振動状態であると判断したとき、自装置の状態を、前記第２の状態に区分けする、
ことを特徴とする情報処理装置。
【請求項２】
前記区分手段は、前記情報処理装置と水平線とが成す傾き角に応じて、前記第１の状態と、前記第２の状態と、を区分けする、
ことを特徴とする請求項１に記載の情報処理装置。
【請求項３】
前記区分手段は、前記情報処理装置の振動の程度に応じて、前記第１の状態と、前記第２の状態と、を区分けする、
ことを特徴とする請求項２に記載の情報処理装置。
【請求項４】
加速度センサの出力に基づいて、自装置が安定な状態を保持している第１の状態と、自装置が安定な状態を保持しない第２の状態と、を区分けするステップと、
タッチパネルにかかる所定の圧力に基づいて出力される出力値を、前記第１の状態と、前記第２の状態とで異ならせるよう制御するステップと、
を有し、
前記制御するステップは、前記第１の状態で前記タッチパネルにかけた前記圧力に基づいて出力される出力値よりも、前記第２の状態で前記タッチパネルにかけた前記圧力に基づいて出力される出力値を大きくし、
前記区分するステップは、自装置が有振動状態であると判断したとき、自装置の状態を、前記第２の状態に区分けする、
ことを特徴とする情報処理方法。
【請求項５】
加速度センサの出力に基づいて、自装置が安定な状態を保持している第１の状態と、自装置が安定な状態を保持しない第２の状態と、を区分けする工程と、
タッチパネルにかかる所定の圧力に基づいて出力される出力値を、前記第１の状態と、前記第２の状態とで異ならせるよう制御する工程と、
をコンピュータに実行させ、
前記制御する工程は、前記第１の状態で前記タッチパネルにかけた前記圧力に基づいて出力される出力値よりも、前記第２の状態で前記タッチパネルにかけた前記圧力に基づいて出力される出力値を大きくし、
前記区分する工程は、自装置が有振動状態であると判断したとき、自装置の状態を、前記第２の状態に区分けする、
ことを特徴とするプログラム。